(57)【要約】【課題】キャップの締付けの可否によって施錠状態と解錠状態を明確に判別することができるマンホール蓋用ロック装置を提供する。【解決手段】固定外筒４に可動内筒６を上下移動可能に挿入し、固定外筒４の下端開口部７より可動内筒６にロック軸１２を挿入し、可動内筒６の螺旋状のカム溝部５にロック軸１２の駆動突起８を挿入し、固定外筒４から突出したロック軸１２に止め金体１５を固着し、固定外筒４の上端開口部２にキャップ１９をねじ込み嵌合する。キャップ操作具１６でキャップ１９を固定外筒４から取外し、ロック操作具９でロック軸１２を解錠位置に回したとき、可動内筒６が固定外筒４の上端開口部２内に上昇し、これによってキャップ１９を固定外筒４に装着できないようにする。【選択図】図１
2007032110.tif 000002
【特許請求の範囲】
【請求項１】
中心軸線を上下方向に配置してマンホール蓋１に固着され、上端開口部２の内周面に雌螺子部３を形成した固定外筒４と、
固定外筒４に挿入され、固定外筒４に対する回転を制止されて上下方向のみに移動可能であり、下側筒壁部に螺旋状のカム溝部５を中心軸線の周りに形成した可動内筒６と、
固定外筒４の下端開口部７より可動内筒６の下端部に上半部を挿入され、固定外筒４に対して回転可能であって上下方向への移動を制止されており、上端部側面にカム溝部５に挿入される駆動突起８を設けてあり、上端面にロック操作具９の駆動部１０が係合する受動部１１を設けたロック軸１２と、
固定外筒４から突出したロック軸１２の下半部に固着され、マンホール外枠１３の受金部１４と係脱する止め金体１５と、
固定外筒４の上端開口部２にねじ込み嵌合され、上端面にキャップ操作具１６の駆動部１７が係合する受動部１８を設けたキャップ１９とからなり、
キャップ操作具１６でキャップ１９を固定外筒４から取外し、ロック操作具９でロック軸１２を解錠位置に回したとき、可動内筒６が固定外筒４の上端開口部２内に上昇するようにした、マンホール蓋用ロック装置。
【発明の詳細な説明】
【技術分野】
【０００１】
本発明は、通信ケ−ブルや送電ケ−ブル、上下水道管を収納する共同溝等の出入り口であるマンホールに装備される蓋用ロック装置に関する。
【背景技術】
【０００２】
従来のマンホール蓋用ロック装置は、中心軸線を上下方向に配置してマンホール蓋に固着された固定外筒と；前記固定外筒に回転可能及び上下動可能に挿入された可動内筒と；前記可動内筒に上端部を挿入して連結され、下部が前記固定外筒から突出したロック軸と；前記ロック軸の下部に固着され、マンホール外枠の受金部と係脱する止め金体とで構成されており、ロック操作具で前記可動内筒を所定角度回転させることによって、前記ロック軸を上下方向に移動させながら施錠位置または解錠位置に回転させている（特許文献１参照）。
【０００３】
しかしながら、この従来装置では、前記止め金体が解錠位置または施錠位置のいずれにあっても、前記可動内筒は前記固定外筒の内部空間にあるため、施錠状態と解錠状態の判別が困難であり、マンホール蓋をマンホール外枠に嵌めた後に施錠を忘れて立ち去る事例が少なからず報告されている。
【０００４】
【特許文献１】特開平２−８８８２１号公報
【発明の開示】
【発明が解決しようとする課題】
【０００５】
本発明の課題は、キャップの締付けの可否によって施錠状態と解錠状態を明確に判別することができるため、マンホール蓋を無施錠状態で放置する危険性を減らせるマンホール蓋用ロック装置を提供することである。
【課題を解決するための手段】
【０００６】
本発明のマンホール蓋用ロック装置は、中心軸線を上下方向に配置してマンホール蓋１に固着され、上端開口部２の内周面に雌螺子部３を形成した固定外筒４と、
固定外筒４に挿入され、固定外筒４に対する回転を制止されて上下方向のみに移動可能であり、下側筒壁部に螺旋状のカム溝部５を中心軸線の周りに形成した可動内筒６と、
固定外筒４の下端開口部７より可動内筒６の下端部に上半部を挿入され、固定外筒４に対して回転可能であって上下方向への移動を制止されており、上端部側面にカム溝部５に挿入される駆動突起８を設けてあり、上端面にロック操作具９の駆動部１０が係合する受動部１１を設けたロック軸１２と、
固定外筒４から突出したロック軸１２の下半部に固着され、マンホール外枠１３の受金部１４と係脱する止め金体１５と、
固定外筒４の上端開口部２にねじ込み嵌合され、上端面にキャップ操作具１６の駆動部１７が係合する受動部１８を設けたキャップ１９とからなり、
キャップ操作具１６でキャップ１９を固定外筒４から取外し、ロック操作具９でロック軸１２を解錠位置に回したとき、可動内筒６が固定外筒４の上端開口部２内に上昇するようにしたものである。
【発明の効果】
【０００７】
本発明のマンホール蓋用ロック装置では、キャップ操作具１６の駆動部１７をキャップ１９の受動部１８に係合させてキャップ１９を所定方向に回すことによって、キャップ１９が固定外筒４の上端開口部２から取外され、その後、ロック操作具９の駆動部１０をロック軸１２の受動部１１に係合させてロック軸１２を所定方向に回すことによって、止め金体１５がマンホール外枠１３の受金部１４から離脱した解錠位置に来るのであるが、この解錠位置においては、可動内筒６のカム溝部５とロック軸１２の駆動突起８の協働作用によって可動内筒６が上昇して、可動内筒６が固定外筒４の上端開口部２内に進入しているため、解錠状態においては、上端開口部２の雌螺子部３にキャップ１９の雄螺子部２８を螺合させ、キャップ１９の上面がマンホール蓋１の上面に揃った位置までキャップ１９を十分に締付けることはできない。このようにキャップ１９の締付け装着の可否によって施錠状態と解錠状態を明確に判別することができるため、マンホール蓋１を無施錠状態で放置する危険性を減らすことができる。
【実施例】
【０００８】
図１から図１６に示した実施例では、固定外筒４のキャップ１９とロック軸１２の間の空洞部には、ダミー錠２０が挿入されている。このダミー錠２０は。キャップ１９を取外したとき見える上面部の形態を一見、本物の錠らしく見せ掛けたものであって、通常の意味における錠機能は備えていないものである。
【０００９】
ダミー錠２０は、ロック操作具９の回転力をロック軸１２に伝達する連動部材として機能するものであり、ダミー錠２０の上部の丸軸部２１には、キャップ１９の受動部１８と同じ形態の受動部２２を上面部に設けてある。キャップ１９の受動部１８とダミー錠０の受動部２２は、小判型凹部の中央部に円柱部を配したものである。
ダミー錠２０の下部は六角形断面の角軸部２３となっており、ロック軸１２の六角形状の受動部１１に嵌め込まれている。
【００１０】
キャップ１９の外周面溝２４には防水用リング２５が装着され、ダミー錠２０の丸軸部２１の外周面溝２６には防水用リング２７が嵌め込まれている。キャップ１９の外周面には、防水用リング２５より下側に、固定外筒４の雌螺子部３に螺合する雄螺子部２８が形成されている。
【００１１】
ロック軸１２の駆動突起８は、ロック軸１２の大径頭部２９の外周面孔３０に打ち込まれたピンで構成され、ロック軸１２の直径方向に２個設けられている。これに対応して、可動内筒６のカム溝部５は中心軸線に関して対称に２個設けられている。図１に示したようにロック軸１２が施錠位置にあるときには、駆動突起８はカム溝部５の上端部に係合している。この施錠位置では、可動内筒６は最も下降した位置にあり、可動内筒６の上端面は固定外筒４の上端開口部２から下側に脱出した位置にある。
【００１２】
固定外筒４はマンホール蓋１の垂直受孔３１に回転不能に嵌め込まれ、下端雌螺子部３２に螺合したナット３３によってマンホール蓋１に締付け固着されている。固定外筒４の上半部の内周面には上下方向のガイド溝３４が形成されており、可動内筒６の外周面の規制突起３５がガイド溝３４に係合することによって、可動内筒６は固定外筒４に対する回転を制止され、上下方向に移動可能になっている。
【００１３】
ロック軸１２の下半部の雄螺子部３６は、止め金体１５の主体部の縦孔３７を貫通しており、止め金体１５は雄螺子部３６に螺合したナット３８によってロック軸１２に接続されている。止め金体１５には回り止めピン３９が横断方向に打ち込まれており、回り止めピン３９の先端は、ロック軸１２の側面平坦部４２に突き当てられ、止め金体１５がロック軸１２に対して空転するのを阻止している。
ロック軸１２は、固定外筒４の内底壁４０に当接する大径頭部２９と、固定外筒４の下端面に対面する止め金体１５によって、上下方向への移動を規制されている。ロック軸１２の中央部には水抜き口５が上下に貫通している。
【００１４】
図４に示したように、止め金体１５がマンホール外枠１３の受金部１４から離脱する方向にロック軸１２を回転させると、可動内筒６のカム溝部５とロック軸１２の駆動突起８の協働作用によって可動内筒６が上昇する。この解錠位置においては、駆動突起８はカム溝部５の下端部に係合しており、可動内筒６は最も上昇した位置にあって、固定外筒４の上端開口部２内に進入しているため、上端開口部２の雌螺子部３にキャップ１９の雄螺子部２８を螺合させることによって、キャップ１９の上面がマンホール蓋１の上面に揃う位置まで締付けることはできない。
【００１５】
上記実施例では、キャップ１９を取外した後もダミー錠２０は固定外筒４内に残置され、連動部材として使用されるため、キャップ操作具１６はそのままロック操作具９として使用される。
尚、ダミー錠２０を固定外筒４から抜き取るときには、ロック軸１２の受動部１１に適合した形態の駆動部１０を有するロック操作具９が別に用意される。その場合、ロック操作具９とキャップ操作具１６は、１本の棒体の両端というように一体物に構成することもできる。
【００１６】
図１７から図１９に示した実施例では、前記実施例におけるダミー錠２０が通常の錠機能を有する本物の錠ユニット４１と置き換えられている。それ以外の構成は前記実施例と同様であるので、詳細な説明は省略する。
錠ユニット４１は、キャップ１９を固定外筒２の上端開口部２から取外した後、上端開口部２から対応する鍵を挿入することによって、固定外筒４に対する拘束を解除され、固定外筒４から取り出されるものである。固定外筒４の上部には前記一対のガイド３４，３４の中間部に規制溝４３が上下方向に形成されている。錠ユニット４１の外周面に突設した規制ピン４４が前記規制溝４３に係合しており、これによって固定外筒４に対する錠ユニット４１の空転が阻止されている。
【００１７】
錠ユニット４１を固定外筒４から取外した後、上端開口部２からロック操作具９が固定外筒４に挿入され、ロック操作具９の駆動部１０をロック軸１２の受動部１１に直接係合させることによって、ロック軸１２が施錠方向または解錠方向に回転駆動される。
【００１８】
図１９に示したように、止め金体１５がマンホール外枠１３の受金部１４から離脱する方向にロック軸１２を回転させると、可動内筒６のカム溝部５とロック軸１２の駆動突起８の協働作用によって可動内筒６が上昇する。この解錠位置においては、駆動突起８はカム溝部５の下端部に係合しており、可動内筒６は最も上昇した位置にあって、固定外筒４の上端開口部２内に進入しているため、上端開口部２の雌螺子部３にキャップ１９の雄螺子部２８を螺合させることによって、キャップ１９の上面がマンホール蓋１の上面に揃う位置まで締付けることはできない。
【００１９】
本例において、ロック操作具９とキャップ操作具１６及び錠ユニット４１の鍵は、別々に構成する代わりに、Ｔ字状に一体物に構成することもできる。
【図面の簡単な説明】
【００２０】
【図１】本発明の一実施例に係るマンホール蓋用ロック装置の施錠状態における縦断面図である。
【図２】図１のロック装置の平面図である。
【図３】図１のロック装置のキャップを取外したときの平面図である。
【図４】図１のロック装置の解錠状態の縦断面図である。
【図５】図１のロック装置に使用したキャップの平面図である。
【図６】図５のキャップの縦断面図である。
【図７】図１のロック装置に使用した可動内筒の平面図である。
【図８】図７の可動内筒の縦断面図である。
【図９】図７の可動内筒の底面図である。
【図１０】図７の可動内筒の左側面図である。
【図１１】図１のロック装置に使用したダミー錠の平面図である。
【図１２】図１１のダミー錠の正面図である。
【図１３】図１１のダミー錠の底面図である。
【図１４】図１のロック装置に使用したロック軸の平面図である。
【図１５】図１４のロック軸の正面図である。
【図１６】図１４のロック軸の底面図である。
【図１７】本発明の別の実施例に係るマンホール蓋用ロック装置の施錠状態における縦断面図である。
【図１８】図１７のロック装置の平面図であり、キャップと錠ユニットを取外した状態を示している。
【図１９】図１７のロック装置の解錠状態の縦断面図である。
【符号の説明】
【００２１】
１  マンホール蓋
２  固定外筒の上端開口部
３  上端開口部の雌螺子部
４  固定外筒
５  可動内筒のカム溝部
６  可動内筒
７  固定外筒の下端開口部
８  ロック軸の駆動突起
９  ロック操作具
１０  ロック操作具の駆動部
１１  ロック軸の受動部
１２  ロック軸
１３  マンホール外枠
１４  受金部
１５  止め金体
１６  キャップ操作具
１７  キャップ操作具の駆動部
１８  キャップの受動部
１９  キャップ
２０  ダミー錠
２１  ダミー錠の丸軸部
２２  ダミー錠の受動部
２３  ダミー錠の角軸部
２４  キャップの外周面溝
２５  キャップの防水用リング
２６  ダミー錠の外周面溝
２７  ダミー錠の防水用リング
２８  キャップの雄螺子部
２９  ロック軸の大径頭部
３０  大径頭部の外周面孔
３１  マンホール蓋の垂直受孔
３２  固定外筒の下端雌螺子部
３３  固定外筒の固着用ナット
３４  固定外筒のガイド溝
３５  可動内筒の規制突起
３６  ロック軸の雄螺子部
３７  止め金体の縦孔
３８  止め金体の固着用ナット
３９  止め金体の回り止めピン
４０  固定外筒の内底壁
４１  錠ユニット
４２  ロック軸の側面平坦部
４３  固定外筒の規制溝
４４  錠ユニットの規制ピン
４５  ロック軸の水抜き孔
【図１】
2007032110.tif 000003
【図２】
2007032110.tif 000004
【図３】
2007032110.tif 000005
【図４】
2007032110.tif 000006
【図５】
2007032110.tif 000007
【図６】
2007032110.tif 000008
【図７】
2007032110.tif 000009
【図８】
2007032110.tif 000010
【図９】
2007032110.tif 000011
【図１０】
2007032110.tif 000012
【図１１】
2007032110.tif 000013
【図１２】
2007032110.tif 000014
【図１３】
2007032110.tif 000015
【図１４】
2007032110.tif 000016
【図１５】
2007032110.tif 000017
【図１６】
2007032110.tif 000018
【図１７】
2007032110.tif 000019
【図１８】
2007032110.tif 000020
【図１９】
2007032110.tif 000021